(57)【要約】【課題】  一般的に考えまして、家庭・職場等において、新聞紙や冊子等を整理整頓する時点において、必要とする行動を容易にすることができる。【解決手段】  新聞紙や冊子等を整理するとき、結束用段ボールパットをしようすることによって、その行動が容易になる可能性がある。【選択図】  図４
0003122840.tif 000002
【実用新案登録請求の範囲】
【請求項１】
波形方向に長い段ボールの中心部に、少なくとも一方をループ状とした複数本の紙製丸紐を並行に並べた紙紐を十字状に通したことを特徴とする段ボールパット。
【請求項２】
先端部にのみ鋸状凸凹があり、続いて平坦部、更に柄が付いていることを特徴とする工具を使用して請求項１の段ボールパットを製造する方法。
【考案の詳細な説明】
【技術分野】
【０００１】
本考案は、段ボールとクラフトバンドを生かすため、紙紐を通すために金具を使うことによる段ボールパットに関するものである。
【背景技術】
【０００２】
主体となる段ボールに如何にして容易に紙紐を通すかが問題であった。そこで、金具を考案することにより、所期の目的である利点と利便さがある。
従来、新聞紙や雑誌などの紙類を始め、各種廃棄物などの緊縛するためのものとして、代表的なものとして麻紐やプラスチックや紙紐などがあったがいずれも一人で緊縛することは難しかった。更にプラスチック紐の場合は紙などと一緒にリユースできない不便もあった。
【考案の開示】
【考案が解決しようとする課題】
【０００３】
解決しようとする問題点は、段ボール・クラフトバンド及び金具を利用した器具を如何にうまく活用するかが考えられたが、これを容易に組み入れることである。
本考案は一人作業でも緊縛が容易であって、更にリサイクル。リユースが容易な廃棄物を主とした緊縛材を提案することにある。
【課題を解決するための手段】
【０００４】
本考案は、段ボール・クラフトバンド及び前者を手助けする金具機器を如何に使いやすくするかに掛かっているため、手軽にできるよう本装置を活用することにある。
本考案の目的は、波形方向に長い段ボールの中心に、少なくとも一方をループ状とした複数本の製紙丸紐を平行に並べた紙紐を十字状に通したことを特徴とする段ボールパットによって達成される。
【考案の効果】
【０００５】
本考案の段ボールパットは、私たちの周りにある段ボール等を活用しているため、手軽に活用でき新聞紙や冊子等を容易に処理することが可能である。
本考案の緊縛材を使用することによって、材料が製紙であることから紙製品の廃棄の場合はそのままリサイクル可能になる効果、一人作業でも緊縛が極めて容易になる効果、コストパフーマンスが高い効果は得られる。
【考案を実施するための最良の形態】
【０００６】
本考案で言う段ボールパットは波形方向に長い段ボールと紙製の紐からなっている。段ボールは通常使用されている市販の段ボールであるが、用途によって一辺が１０ｃｍから数十ｃｍで使用ができる。形状は正方形を含む長方形であることが好ましい。
本考案で言う波形方向とは、図１−２に示すように段ボールの断面は波形に見える方向
を指す。
【０００７】
他方、紙製の紐は細い紐が複数本並列に並んで接着されている状態の紐である。細い紐の本数は５本程度が好ましい。従って、紐全体の断面形状は長方形になっている。該紐の少なくとも一方端はループ状になっていることが必要である。
【０００８】
この紐を略十字形になるように段ボールの中を貫通しておく。即ち、図１に示した通りである。段ボール紐を通す方法は特に限定されないが、先端部にのみ鋸状凸凹があり、続いて平坦部、更に柄が付いていることを特徴とする工具を使用して先ず一方向の貫通し、次いで略直角に前記工具を使用して貫通させることが容易に貫通穴を開けることができて好ましい。
【実施例１】
【０００９】
図１は、本考案装置の１実施例の平面図であって、土台を築くための段ボールである。
【実施例２】
【００１０】
図２は、段ボールにクラフトバンドを通すための金具の機器及び紙製の紐である。
【実施例３】
【００１１】
図３は、段ボールに縦・横の平バンドを通し、又図４は、新聞紙や冊子等適量を設置したところである。
【実施例４】
【００１２】
図５及び図６は、縦及び横の平バンドにより固定し、束ね完了したものである。
【産業上の利用可能性】
【００１３】
本考案は、段ボールと紙製の紐を使い簡単な金製品によるものであり、利用方法が容易である。
【図面の簡単な説明】
【００１４】
【図１】段ボールパットの実施方法を示した説明図である。（実施例１）
【図２】段ボールパットの実施方法を示した説明図である。（実施例２）
【図３】段ボールパットの実施方法を示した説明図である。（実施例３）
【図４】段ボールパットの実施方法を示した説明図である。（実施例３）
【図５】段ボールパットの実施方法を示した説明図である。（実施例４）
【図６】段ボールパットの実施方法を示した説明図である。（実施例４）
【符号の説明】
【００１５】
１  紐を通すための補助金具
２  縦の平バンド
３  横の平バンド
４  説明書（新聞紙や冊子等適量を設置）
５  縦・横の紐を設置したところ
６  縦・横の紐で束ねて完了
【図１】
0003122840.tif 000003
【図２】
0003122840.tif 000004
【図３】
0003122840.tif 000005
【図４】
0003122840.tif 000006
【図５】
0003122840.tif 000007
【図６】
0003122840.tif 000008
【手続補正書】
【提出日】平成18年4月17日(2006.4.17)
【手続補正１】
【補正対象書類名】実用新案登録請求の範囲
【補正対象項目名】全文
【補正方法】変更
【補正の内容】
【実用新案登録請求の範囲】
【請求項１】
波形方向に長い段ボールの中心部に、少なくとも一方をループ状とした複数本の紙製丸紐を並行に並べた紙紐を十字状に通したことを特徴とする段ボールパット。
【手続補正２】
【補正対象書類名】明細書
【補正対象項目名】全文
【補正方法】変更
【補正の内容】
【考案の詳細な説明】
【技術分野】
【０００１】  本考案は、荷造り用の段ボールパットであり、特にリサイクルに適しており、簡単且つ確実に緊縛できる段ボールパットである。
【背景技術】
【０００２】  従来、新聞紙や雑誌などの紙類を始め、各種廃棄物などを緊縛するための代表的な物として麻紐・プラスチック及び紙紐などであったが、いずれも一人で緊縛することは難しかった。さらに、プラスチック紐の場合は紙などと一緒にリユースできない不便もあった。
【考案の開示】
【考案が解決しようとする課題】
【０００３】  本考案は、一人でも緊縛作業が容易であって、更にリサイクル・リユースが容易な廃棄物を主とした緊縛品を提案することにある。【０００４】  本考案の目的は、段ボールの中心に、少なくとも一方をループ状にした複数本の紙紐を十字状に通したことを特徴とする段ボールパットによって達成される。
【考案の効果】
【０００５】  本考案の段ボールパットは、私たちの周りにある段ボール等を活用しているため、手軽に活用でき新聞紙や冊子等を容易に処理することが可能である。本考案の緊縛品を使用することによって、材料が製紙であることから紙製品を廃棄する場合は、そのままリサイクル可能になる効果と、一人での作業でも緊縛が極めて容易になる効果等コストパフーマンスの高い効果が得られる。
【考案を実施するための最良の形態】
【０００６】  本考案でいう段ボールパットは、段ボールと紙製の紐からなっている。段ボールは通常使用されている市販の段ボールである。【０００７】  他方、紙製の紐は細い紐が複数本並列に並んで接着されている。本数は５本程度が好ましい。紙製の紐は少なくとも一方端はループ状になっていることが必要である。【０００８】  この紐を略十字形になるように段ボールの中を貫通しておく。即ち、図３に示した通りである。段ボール紐を通す方法は特に限定されないが、金具を使用して先ず一方向に貫通し、次いで略直角に前記の金具を使用して貫通させることが容易に紙紐に穴をあけることができて好ましい。  図２は、段ボールにクラフト平バンドを通すための金具と紙製のクラフト紐である。
【実施例１】
【０００９】  図１は、本考案段ボールパット用段ボールである。
【実施例２】
【００１０】  図２は、段ボールにクラフト平バンドを通すための金具と紙製の紐である。
【実施例３】
【００１１】  図３は、段ボールに縦・横のクラフト平バンドを通し、又図４は、新聞紙や冊子等適量を設置したところである。
【実施例４】
【００１２】  図５及び図６は、縦及び横のクラフト平バンドにより固定し束ねを完了したものである。
【産業上の利用可能性】
【００１３】  本考案は、段ボールと紙紐を使い簡単な金具によるものであり、利用が容易である。
【図面の簡単な説明】
【００１４】
【図１】段ボールパットの実施方法を示した説明図である。（実施例１）
【図２】段ボールパットの実施方法を示した説明図である。（実施例２）
【図３】段ボールパットの実施方法を示した説明図である。（実施例３）
【図４】段ボールパットの実施方法を示した説明図である。（実施例３）
【図５】段ボールパットの実施方法を示した説明図である。（実施例４）
【図６】段ボールパットの実施方法を示した説明図である。（実施例４）
【符号の説明】
【００１５】１  クラフト平バンドを通すための補助金具。（図２）２  クラフト平バンド（縦） （図２）３  クラフト平バンド（横） （図２）４  新聞紙や冊子等を適量に設置し上に説明書（図４）５  縦と横にクラフト平バンド束ねる位置。        （図５）６  縦と横のクラフト平バンドの緊縛を完了。（図６）